(57)【特許請求の範囲】
【請求項１】
電子メールアドレスの組み合わせを自動的に抽出して入力する手段と、
入力された前記組み合わせを、前記組み合わせに含まれるそれぞれの電子メールアドレスに対する検索キーを指定して検索可能な形式で記憶するとともに、前記電子メールアドレスの組み合わせの出現回数に基づく関連度を保持する組み合わせ記憶手段と、
検索キーとして扱われるデータを入力する手段と、
前記検索キーにより前記組み合わせ記憶手段で記憶された１つ以上の電子メールアドレスの組み合わせを検索する手段と、
前記検索された１つ以上の電子メールアドレスの組み合わせのそれぞれを、電子メールアドレス要素として提示する手段と、を含み、
前記電子メールアドレスの組み合わせは、以前に送信又は受信した電子メールの送信先として使用されたものであり、
前記関連度の高い前記電子メールアドレスの組み合わせに対応する電子メールアドレス要素を優先して提示することを特徴とする電子メールアドレス処理装置。
【請求項２】
前記検索キーは、前方一致又は部分一致のいずれかの検索キーであることを特徴とする請求項１記載の電子メールアドレス処理装置。
【請求項３】
文字列を入力する手段と、
提示されたそれぞれの前記電子メールアドレス要素のうち、少なくとも１つを選択する手段と、
選択された前記電子メールアドレス要素を送信先として設定する手段と、を含む請求項１又は２記載の電子メールアドレス処理装置。
【請求項４】
１つ以上の電子メールアドレスを入力する手段をさらに含み、
前記１つ以上の電子メールアドレスを含む電子メールアドレス要素を優先して提示することを特徴とする請求項１〜３の何れかに記載の電子メールアドレス処理装置。
【請求項５】
電子メールアドレスの組み合わせを自動的に抽出して入力するステップと、
入力された前記組み合わせを、前記組み合わせに含まれるそれぞれの電子メールアドレスに対する検索キーを指定して検索可能な形式で記憶するとともに、前記電子メールアドレスの組み合わせの出現回数に基づく関連度を保持するステップと、
検索キーとして扱われるデータを入力するステップと、
前記検索キーにより前記組み合わせ記憶手段で記憶された１つ以上の電子メールアドレスの組み合わせを検索するステップと、
前記検索された１つ以上の電子メールアドレスの組み合わせのそれぞれを、電子メールアドレス要素として提示するステップと、を含み、
前記電子メールアドレスの組み合わせは、以前に送信又は受信した電子メールの送信先として使用されたものであり、
前記関連度の高い前記電子メールアドレスの組み合わせに対応する電子メールアドレス要素を優先して提示することを特徴とする電子メールアドレス処理方法。
【請求項６】
請求項５に記載の電子メールアドレス処理方法を実行するプログラム。
【発明の詳細な説明】
【０００１】
【発明の属する技術分野】
本発明は、複数の電子メールアドレスを宛先として指定するときの電子メールアドレス入力方法、その入力方法を実行させるためのプログラム、及びそのプログラムを記録した記録媒体に関するものである。
【０００２】
【従来の技術】
インターネット等のネットワークを利用した電子メールの送信に際し、宛先の入力が必須である。この宛先を電子メールアドレスと呼び、ユーザ毎に一意に決定される。そのため、一文字の間違いにより電子メールが送信されなかったり、別のユーザに届いてしまうという問題がある。また、電子メールアドレスは非常に長い文字列からなり覚えることが困難である。従って、入力に手間がかかるという問題もある。
【０００３】
そこで、電子メールアドレスの補完機能という技術がある。この技術は、メールアドレスを１文字入力する毎にその文字を含む電子メールアドレスを自己の電子アドレス帳や送受信した電子メールアドレスから検索して自動的に補完して表示し、ユーザに選択を促すことにより、入力の手間と入力間違いを少なくしようとするものである。図１１は、補完候補１４２ａを表示させて補完する場合の画像１４０ａ、１４０ｂの一例を示す図である。図１１（ａ）の宛先入力フィールド１４１ａに「t」を入力すると、「t」を頭文字にもつ電子メールアドレスの補完候補１４２ａが表示され、その中から例えば、「tanaka@abc.co.jp」を選択すると、図１１（ｂ）のように、その電子メールアドレスが宛先入力フィールド１４１ｂに表示される。
【０００４】
また、電子メールでは、複数の宛先を指定して同じ内容の電子メールを送信（同報送信）することができる。ここで、上述の補完機能を利用すると、１つの入力に対して１つの電子メールアドレスを補完することになる。図１２は、複数の宛先を指定する場合の流れを画像１５０ａ〜１５０ｆで示す図である。宛先として３つの電子メールアドレスを指定するために、宛先フィールド１５１ａにまず「t」を入力すると、図１２（ａ）のように、「t」を頭文字にもつ電子メールアドレスの補完候補１５２ａが表示され、その中から「tanaka@abc.co.jp」を選択すると、図１２（ｂ）の画像１５０ｂが表示される。
【０００５】
次に「s」を入力すると、図１２（ｃ）のように、「s」を頭文字にもつ電子メールアドレスの補完候補１５２ｃが表示され、その中から「sanma@abc.co.jp」を選択すると、図１２（ｄ）の画像１５０ｄが表示される。最後に「t」を入力すると、図１２（ｅ）のように、「t」を頭文字にもつ電子メールアドレスの補完候補１５２ｅが表示され、その中から「turube@bbc.com」を選択すると、図１２（ｆ）の画像１５０ｆが表示される。
【０００６】
また、同報送信する場合、複数の電子メールアドレスを１つのグループとして別の名前で登録するグループアドレスと呼ばれる機能がある。図１３は、登録されたグループアドレスの一覧１６０の一例を示す図である。例えば、図１４に示すように、宛先入力時の画像１７０ａの宛先フィールド１７１ａに「my」を入力すると、「my」を頭文字にもつグループアドレスの補完候補１７２ａが表示され、その中から「myfriends」を選択すると、図１３の「myfriends」に対応する３つの電子メールアドレス「tanaka@abc.co.jp, sanma@abc.co.jp, egu@ddd.ad.jp」を指定することができる。
【０００７】
また、特開平１０−８３３６２号公報には、電子メール本文の名前を宛先フィールドにドラッグアンドドロップすると、予め登録しておいた名前−アドレス変換テーブルから名前に対応した電子メールアドレスを読み出し、自動的に電子メールの宛先に入力される電子メール宛先指定方法が開示されている。なお、複数の名前を一度にドラッグアンドドロップすることにより、一度に複数の電子メールアドレスを入力することもできる。
【０００８】
【発明が解決しようとする課題】
しかしながら、複数の宛先に同報送信する場合、図１２に示したように電子メールアドレスを１つずつ補完する方法では、指定する電子メールアドレスの数だけ補完の操作をしなければならず、従って、指定する電子メールアドレス数が多いほど入力する手間がかかる。
【０００９】
また、複数の宛先に同報送信するために図１３及び図１４に示したようなグループアドレスを利用する方法では、予めグループアドレスを登録する手間がかかり、更に登録していない電子メールアドレスの組み合わせを指定することはできない。
【００１０】
また、特開平１０−８３３６２号公報において複数の宛先に同報送信する場合、複数の名前を一度にドラッグアンドドロップする必要があり、選択したい名前が離れていて一度にドラッグできないときは数回に分けてドラッグアンドドロップしなければならなず、手間がかかる。更に、予め名前−アドレス変換テーブルに登録する手間もかかる。
【００１１】
本発明は、上記の問題点に鑑み、登録及び入力する手間がかからず、一度に複数の電子メールアドレスを補完することができる電子メールアドレス入力方法を提供することを目的とする。
【００１２】
【課題を解決するための手段】
上記目的を達成するために、本発明に係る電子メールアドレス入力方法は、電子メールシステムにおいて、複数の電子メールアドレスを宛先として指定するときの電子メールアドレス入力方法であって、
文字又は文字列が入力されると、該入力された文字又は文字列を頭文字又は頭文字を含む文字列とする電子メールアドレスを含んだ電子メールアドレスの組み合わせを補完の候補として出力することを特徴とする。
【００１３】
このような電子メールアドレス入力方法によれば、一度に複数の電子メールアドレスを補完することができる。
【００１４】
なお、前記電子メールアドレスの組み合わせは、以前に送信又は受信した電子メールの宛先として使用された複数の電子メールアドレスとすることにより、一度使用した電子メールアドレスの組み合わせは自動的に記憶され、次回の宛先入力時に補完候補として表示されるため、電子メールアドレスの組み合わせをグループアドレス等として登録及び入力する手間がかからない。
【００１５】
また、前記補完の候補として出力する電子メールアドレスの組み合わせは、使用頻度の高い組み合わせを優先的に出力することにより、補完候補の表示時にユーザの使用回数の多い電子メールアドレスが優先的に上位に表示されるので、ランダムに表示する場合やアルファベット順にソートして表示する場合よりもユーザは補完候補を選択し易くなる。
【００１６】
また、１番目以降の所定時の電子メールアドレス入力時に、前記電子メールアドレスの組み合わせを補完の候補として出力することにより、ユーザの利便性が向上する。
【００１７】
また、本発明に係るプログラムは、上記電子メールアドレス入力方法を実行させるためのプログラムである。
【００１８】
また、本発明に係る記録媒体は、上記電子メールアドレス入力方法を実行させるためのプログラムを記録したコンピュータ読み取り可能な記録媒体である。
【００１９】
【発明の実施の形態】
図１は、電子メールアプリケーション１０の構成を示すブロック図である。電子メールアプリケーション１０は、電子メールを作成するための処理をする電子メール作成処理部１１と、送受信した電子メールや電子メールの作成画面等の表示のための処理をする電子メール表示処理部１２と、通信回線を介して電子メールを送受信する電子メール送受信処理部１３と、送受信した電子メールや編集中の電子メールを保存する電子メール保存処理部１４と、送受信した電子メールアドレス、及び送受信した電子メールアドレスの組み合わせを抽出する電子メールアドレス処理部１５と、電子メールアドレスを保存管理する電子メールアドレス管理処理部１６とから構成される。
【００２０】
また、電子メールアドレス管理処理部１６は、ユーザが登録した電子メールアドレスを保存する電子アドレス帳１７と、電子メールを送受信したときに電子メールアドレス処理部１５で抽出された電子メールアドレスの組み合わせとその使用回数を記憶する電子メールアドレス記憶部１８と、電子メールアドレスの組み合わせを短い文字列に置き換えて利用するためのグループアドレスを記憶するグループアドレス記憶部１９とから構成される。
【００２１】
また、電子メール作成処理部１１は、宛先に入力された文字列を基に電子メールアドレス管理処理部１６の中から電子メールアドレスの補完候補を検索する電子メールアドレス検索処理部２０と、電子メールアドレスの補完候補の優先順位を判断して電子メール表示処理部１２へ電子メールアドレスの補完候補のデータを送信する電子メールアドレス補完処理部２１と、電子メールアドレス検索処理部２０で検索された電子メールアドレスの補完候補を電子メールアドレス補完処理部２１を通じて受け取り記憶する電子メールアドレス補完候補管理部２２とから構成される。
【００２２】
そして、この電子メールアプリケーション１０は電子メールシステム上で実行される。図２は、電子メールシステムの構成を示すブロック図である。この電子メールシステムは、ネットワーク３０と、ネットワーク３０に接続され、電子メールの作成及び送受信を行う端末機器としてのコンピュータ３１と、ネットワーク３０に接続され、情報を管理・記憶しているストレージデバイス３２とから構成される。なお、ネットワーク３０は電子メールが送受信可能であれば特に限定はなく、インターネットやローカルなネットワーク等を利用することができる。
【００２３】
また、コンピュータ３１は、ネットワーク３０との通信を制御する通信制御部３３と、コンピュータ３１の動作を制御するプログラムを記憶するプログラム用メモリ３４と、コンピュータ３１で使用するデータを記憶するデータ用メモリ３５と、フレキシブルディスクドライブやハードディスクドライブ等からなる外部記憶部３６と、キーボード等からなる入力部３７と、電子メール等の表示を制御する表示制御部３８と、液晶パネル等からなる表示部３９と、コンピュータ３１の動作を制御するＣＰＵ４０とから構成される。
【００２４】
そして、電子メールアプリケーション１０のプログラムは、外部記憶部３６、データ用メモリ３５、又はストレージデバイス３２の中に格納されており、プログラム用メモリ３４にロードされ、ＣＰＵ４０により実行される。
【００２５】
図３は、電子メール作成時の画像５０の一例を示す図である。ユーザが入力部３７を操作して電子メールを作成するとき、表示部３９上に画像５０が表示される。画像５０は、宛先を入力する宛先フィールド５１と、同報送信するときに宛先を入力する同報宛先フィールド５２と、題名を入力する題名フィールド５３と、本文を入力する本文フィールド５４とから構成される。ここで、複数の人に同報送信する場合、宛先フィールド５１又は同報宛先フィールド５２に複数の電子メールアドレスを入力すればよい。
【００２６】
次に、上記の電子メールシステムにおける電子メールアドレス入力方法について説明する。図４は、電子メールアドレス入力時の電子メールシステムの動作を示すフローチャートである。ステップＳ６０において、ユーザにより入力部３７が操作されて宛先フィールド又は同報宛先フィールドに文字又は文字列が入力されると、ステップＳ６１へ進んで、電子メールアドレス検索処理部２０が電子アドレス帳１７の中から、入力された文字又は文字列を頭文字又は頭文字を含む文字列とする電子メールアドレスを検索する。図５に、電子アドレス帳１７の一覧８０の一例を示す。一覧８０には１２の電子メールアドレスが記されている。
【００２７】
次に、ステップＳ６１からステップＳ６２へ進んで、検索した結果、電子メールアドレスの有無を判別する。ステップＳ６２において電子メールアドレスがあるとき、ステップＳ６３へ進んで、電子メールアドレス補完処理部２１が電子メールアドレス補完候補管理部２２へ電子アドレス帳１７から読み出した電子メールアドレスを補完候補として記憶させる。
【００２８】
次に、ステップＳ６３からステップＳ６４へ進んで、電子メールアドレス検索処理部２０が電子アドレス帳１７内をすべて検索したか否かを判別する。ステップＳ６４において、まだ電子アドレス帳１７内をすべて検索していないときは、ステップＳ６１に戻り、検索を続ける。
【００２９】
一方、ステップＳ６４において、電子アドレス帳１７内をすべて検索したときは、ステップＳ６５へ進んで、電子メールアドレス検索処理部２０が電子メールアドレス記憶部１８の中から、入力された文字又は文字列を頭文字又は頭文字を含む文字列とする電子メールアドレスを含んだ電子メールアドレスの組み合わせを検索する。図６に、電子メールアドレス記憶部１８に記憶されている内容の一覧９０の一例を示す。一覧９０には２組の電子メールアドレスの組み合わせと、その使用回数が記されている。
【００３０】
次に、ステップＳ６５からステップＳ６６へ進んで、検索した結果電子メールアドレスの組み合わせの有無を判別する。ステップＳ６６において電子メールアドレスの組み合わせがあるときは、ステップＳ６７へ進んで、電子メールアドレス補完処理部２１が電子メールアドレス補完候補管理部２２へ電子メールアドレス記憶部１８から読み出した電子メールアドレスの組み合わせとその使用回数を補完候補として記憶させる。
【００３１】
次に、ステップＳ６７からステップＳ６８へ進んで、電子メールアドレス検索処理部２０が電子メールアドレス記憶部１８内をすべて検索したか否かを判別する。ステップＳ６８において、まだ電子メールアドレス記憶部１８内をすべて検索していないときは、ステップＳ６５に戻り、検索を続ける。
【００３２】
一方、ステップＳ６８において、電子メールアドレス記憶部１８内をすべて検索したときは、ステップＳ６９へ進んで、電子メールアドレス検索処理部２０がグループアドレス記憶部１９の中から、入力された文字又は文字列を頭文字又は頭文字を含む文字列とするグループ名を検索する。グループアドレス記憶部１９に記憶されている内容は、例えば、従来例の図１３とすることができる。
【００３３】
次に、ステップＳ６９からステップＳ７０へ進んで、検索した結果グループ名の有無を判別する。ステップＳ７０においてグループ名があるとき、ステップＳ７１へ進んで、電子メールアドレス補完処理部２１が電子メールアドレス補完候補管理部２２へグループアドレス記憶部１９から読み出したグループ名を補完候補として記憶させる。
【００３４】
次に、ステップＳ７１からステップＳ７２へ進んで、入力された文字又は文字列を頭文字又は頭文字を含む文字列を基に、グループアドレスとして登録されている電子メールアドレスの組み合わせを検索して、電子メールアドレスの組み合わせの有無を判別する。ステップＳ７２において電子メールアドレスの組み合わせがあるとき、ステップＳ７３へ進んで、電子メールアドレス補完処理部２１が電子メールアドレス補完候補管理部２２へグループアドレス記憶部１９から読み出した電子メールアドレスの組み合わせを補完候補として記憶させる。
【００３５】
次に、ステップＳ７３からステップＳ７４へ進んで、電子メールアドレス検索処理部２０がグループアドレス記憶部１９内をすべて検索したか否かを判別する。ステップＳ７４において、まだ電子メールアドレス記憶部１８内をすべて検索していないときは、ステップＳ６９に戻り、検索を続ける。
【００３６】
一方、ステップＳ７４において、グループアドレス記憶部１９内をすべて検索したときは、ステップＳ７５へ進んで、電子メールアドレス補完候補管理部２２中のすべての補完候補を読み出し、電子メール表示処理部１２を通じてその補完候補を表示する。図７は、補完候補１０２ａを表示させて補完する場合の画像１００ａ、１００ｂの一例を示す図である。図７（ａ）では、宛先入力フィールド１０１ａに「t」が入力された場合の補完候補１０２ａを表示している。ユーザはこの補完候補１０２ａの中から所望の電子メールアドレス又はその組み合わせを選択することにより、例えば、図７（ｂ）の画像１００ｂのように宛先入力フィールド１０１ｂへ複数の電子メールアドレスを入力することができる。
【００３７】
このような電子メールアドレス入力方法によれば、一度に複数の電子メールアドレスを補完することができる。
【００３８】
次に、送受信した電子メールアドレスの組み合わせを次回から補完の候補として利用するために、送受信した電子メールから電子メールアドレスの組み合わせを抽出して電子メールアドレス記憶部１８にへ記憶する動作について説明する。
【００３９】
図８は、電子メールを送受信したときの電子メールシステムの動作を示すフローチャートである。ステップＳ１１０において、電子メール送受信処理部１３が電子メールを送受信すると、ステップＳ１１１へ進んで、その電子メールの宛先は電子メールアドレスの組み合わせから成っているか否かを判別する。
【００４０】
ステップＳ１１１において、電子メールアドレスの組み合わせである場合は、ステップＳ１１２へ進んで、電子メールアドレス処理部１５がその電子メールアドレスの組み合わせを抽出する。そして、ステップＳ１１２からステップＳ１１３へ進んで、電子メールアドレス処理部１５は抽出した電子メールアドレスの組み合わせが既に電子メールアドレス記憶部に記憶されているか否かを調べる。
【００４１】
ステップＳ１１３において、既に電子メールアドレス記憶部１８に記憶されているときは、ステップＳ１１４へ進んで図６の一覧９０に示した使用回数を１増やす。一方、ステップＳ１１３において、電子メールアドレス記憶部１８に記憶されていないときは、ステップＳ１１５へ進んで電子メールアドレス記憶部１８に、抽出した電子メールアドレスの組み合わせを追加記憶し、その使用回数を１とする。
【００４２】
これにより、一度使用した電子メールアドレスの組み合わせは自動的に記憶され、次回の宛先入力時に補完候補として表示されるため、電子メールアドレスの組み合わせをグループアドレス等として登録及び入力する手間がかからない。
【００４３】
次に、電子メールアドレスや電子メールアドレスの組み合わせの補完候補を表示する際に、使用頻度の高い候補を優先的に表示する方法について説明する。図４のステップＳ７５において、電子メールアドレス補完候補管理部２２中の補完候補を読み出して表示するときに、補完候補の使用回数を比較して使用回数の多い順に上から補完候補として表示する。なお、表示する優先順位は電子アドレス帳１７、グループアドレス記憶部１９に記憶されている電子メールアドレスにも適用することができ、これら補完候補の優先順位をまとめて比較して表示するようにしてもよい。
【００４４】
図９は、補完候補１２２を表示させて補完する場合の画像１２０の一例を示す図である。宛先入力フィールド１２１に「t」が入力された場合の補完候補１２２を表示している。図９では単独の電子メールアドレスを優先的に表示し、続いて電子メールアドレスの組み合わせを表示している。図６に示したように、「erry@ccc.ne.jp, sakamoto@ccc.ad.jp, araki@ddd.ne.jp, terada@bbb.ne.jp」の使用回数が１、「tanaka@abc.co.jp, sanma@abc.co.jp, tom@ccc.ac.jp, terada@bbb.ne.jp」の使用回数が２であるため、図９の補完候補１２２中では、使用回数の多い「tanaka@abc.co.jp, sanma@abc.co.jp, tom@ccc.ac.jp, terada@bbb.ne.jp」が優先的に上位に表示されている。
【００４５】
これにより、補完候補の表示時にユーザの使用回数の多い電子メールアドレスが優先的に上位に表示されるので、ランダムに表示する場合やアルファベット順にソートして表示する場合よりもユーザは補完候補を選択し易くなる。
【００４６】
なお、本発明において、宛先の１番目に電子メールアドレスが入力されるときの補完候補としては単独の電子メールアドレスのみを表示し、２番目に電子メールアドレスの頭文字又は文字列が入力されると、補完候補として電子メールアドレス及び電子メールアドレスの組み合わせを表示するようにしてもよい。また、電子メールアドレスの組み合わせを補完候補として表示するタイミングは、２番目以降の所定時の電子メールアドレス入力時としてもよい。
【００４７】
図１０は、電子メールアドレスを入力するときの流れを示す図である。まず、図１０（ａ）において宛先入力のための画像１３０ａの宛先フィールド１３１ａに「t」が入力されると、補完候補１３２ａが表示される。この補完候補１３２ａには単独の電子メールアドレスのみが表示される。ここで、「tanaka@abc.co.jp」が選択され、次に、図１０（ｂ）において「s」が入力されると、補完候補１３２ｂが表示される。この補完候補１３２ｂには単独の電子メールアドレスに続いて電子メールアドレスの組み合わせが表示される。なお、補完候補１３２ｂは「s」を頭文字とする電子メールアドレスと、「s」を頭文字とする電子メールアドレス及び「tanaka@abc.co.jp」を含む電子メールアドレスの組み合わせとしてもよい。そして、電子メールアドレスの組み合わせが選択されると、図１０（ｃ）の画像１３０ｃが表示される。
【００４８】
これにより、補完候補として表示される電子メールアドレスの組み合わせが限定されて少なくなり、ユーザは所望の候補を見つけ易くなり利便性が向上する。
【００４９】
【発明の効果】
本発明によれば、文字又は文字列が入力されると、該入力された文字又は文字列を頭文字又は頭文字を含む文字列とする電子メールアドレスを含んだ電子メールアドレスの組み合わせを補完の候補として出力することにより、一度に複数の電子メールアドレスを補完することができる。
【００５０】
また、本発明によれば、電子メールアドレスの組み合わせは、以前に送信又は受信した電子メールの宛先として使用された複数の電子メールアドレスとすることにより、一度使用した電子メールアドレスの組み合わせは自動的に記憶され、次回の宛先入力時に補完候補として表示されるため、電子メールアドレスの組み合わせをグループアドレス等として登録及び入力する手間がかからない。
【００５１】
また、本発明によれば、補完の候補として出力する電子メールアドレスの組み合わせは、使用頻度の高い組み合わせを優先的に出力することにより、補完候補の表示時にユーザの使用回数の多い電子メールアドレスが優先的に上位に表示されるので、ランダムに表示する場合やアルファベット順にソートして表示する場合よりもユーザは補完候補を選択し易くなる。
【００５２】
また、本発明によれば、１番目以降の所定時の電子メールアドレス入力時に、電子メールアドレスの組み合わせを補完の候補として出力することにより、ユーザの利便性が向上する。
【図面の簡単な説明】
【図１】      本発明の電子メールアプリケーションの構成を示すブロック図である。
【図２】      本発明の電子メールシステムの構成を示すブロック図である。
【図３】      本発明の電子メール作成時の画像の一例を示す図である。
【図４】      本発明の電子メールアドレス入力時の電子メールシステムの動作を示すフローチャートである。
【図５】      本発明の電子アドレス帳の一覧の一例を示す図である。
【図６】      本発明の電子メールアドレス記憶部に記憶されている内容の一覧の一例を示す図である。
【図７】      本発明の補完候補を表示させて補完する場合の画像の一例を示す図である。
【図８】      本発明の電子メールを送受信したときの電子メールシステムの動作を示すフローチャートである。
【図９】      本発明の補完候補を表示させて補完する場合の画像の一例を示す図である。
【図１０】    本発明の電子メールアドレスを入力するときの流れを示す図である。
【図１１】    従来の補完候補を表示させて補完する場合の画像の一例を示す図である。
【図１２】    従来の複数の宛先を指定する場合の流れを示す図である。
【図１３】    従来の登録されたグループアドレスの一覧の一例を示す図である。
【図１４】    従来のグループアドレスを指定する場合の流れを示す図である。
【符号の説明】
１０    電子メールアプリケーション
１１    電子メール作成処理部
１２    電子メール表示処理部
１３    電子メール送受信処理部
１４    電子メール保存処理部
１５    電子メールアドレス処理部
１６    電子メールアドレス管理処理部
１７    電子アドレス帳
１８    電子メールアドレス記憶部
１９    グループアドレス記憶部
２０    電子メールアドレス検索処理部
２１    電子メールアドレス補完処理部
２２    電子メールアドレス補完候補管理部
３０    ネットワーク
３１    コンピュータ
３２    ストレージデバイス
３３    通信制御部
３４    プログラム用メモリ
３５    データ用メモリ
３６    外部記憶部
３７    入力部
３８    表示制御部
３９    表示部
４０    ＣＰＵ
【図１】
0004749610.tif 000002
【図２】
0004749610.tif 000003
【図３】
0004749610.tif 000004
【図４】
0004749610.tif 000005
【図５】
0004749610.tif 000006
【図６】
0004749610.tif 000007
【図７】
0004749610.tif 000008
【図８】
0004749610.tif 000009
【図９】
0004749610.tif 000010
【図１０】
0004749610.tif 000011
【図１１】
0004749610.tif 000012
【図１２】
0004749610.tif 000013
【図１３】
0004749610.tif 000014
【図１４】
0004749610.tif 000015